(57)【要約】      （修正有）【課題】手で生ゴミに触れることなく、生ゴミをゴミ箱に廃棄できるようにした生ゴミ保持器を提供する。【解決手段】生ゴミを保持する容器Ｘとして、頂点と開口部とを結ぶ方向を伸長方向として伸びる素材により形成される錐体状のネット１０であって、弾性体１４によって伸長した状態から戻るように形成され、前記頂点部分にはツマミ１３が設けられるネットと、前記ネット１０の開口部が上方に向かって開いた状態に支持する枠であって、前記ネット１０を固定した状態で伸長可能に形成される枠からなる容器枠２０とを有する。【選択図】図３
0003155220.tif 000002
【実用新案登録請求の範囲】
【請求項１】
頂点と開口部とを結ぶ方向を伸長方向として伸びる素材により形成される錐体状のネットであって、弾性体によって伸長した状態から戻るように形成され、前記頂点部分にはツマミが設けられるネットと、
前記ネットの開口部が上方に向かって開いた状態に支持する枠であって、前記ネットを固定した状態で伸長可能に形成される枠からなる容器枠と
を有する生ゴミ保持容器。
【請求項２】
前記容器枠は、有底の筒状体であり、底部分が開閉可能に形成されるものである請求項１に記載の生ゴミ保持容器。
【請求項３】
前記ネットは、前記弾性体として開口縁から前記頂点に至る複数のゴム紐を有するものである請求項１又は２に記載の生ゴミ保持容器。
【請求項４】
請求項１又は２に記載の容器枠。
【請求項５】
請求項１又は３に記載のネット。
【考案の詳細な説明】
【技術分野】
【０００１】
本考案は、台所用流し台などにおいて調理の際の発生する生ゴミを保持する容器に関する。
【背景技術】
【０００２】
調理の際に発生する生ゴミは、通常、流し台のコーナーに置かれるコーナーポッドや、流し台の排水溝にセットされる流し台バスケットに保持され、一定量が溜まると、ゴミ箱に捨てられる。
生ゴミはコーナーポッドなどに直接溜められ、そのまま捨てられる場合と、コーナーポッドなどの内側に穴の開いた袋やネットを入れて、袋やネットごとゴミ箱に捨てられる場合がある。
【考案の概要】
【考案が解決しようとする課題】
【０００３】
ところで、コーナーポッドなどに直接生ゴミを入れる場合、内壁に生ゴミが付着することがあり、このような場合には付着した生ゴミをゴミ箱に捨てる際に、手で生ゴミを取り除く必要がある。一方、コーナーポッドなどの内側に袋やネットを入れる場合は、このような問題が生じないが、生ゴミを捨てる度に、袋やネットを一緒に捨てることになるので不経済である。しかし、袋やネットを捨てることなく、内部の生ゴミのみを捨てることとすれば、やはり、袋等内部に付着する生ゴミを手で取り除く必要が生じる。
本考案は、このような問題に鑑みて、コーナーポッドなどの生ゴミ保持容器において、手で生ゴミに触れることなく、生ゴミをゴミ箱に廃棄できるようにすることを課題とする。
【課題を解決するための手段】
【０００４】
上記課題を解決するために、本考案は次のような構成を有する。
請求項１に記載の考案は、生ゴミを保持する容器であって、頂点と開口部とを結ぶ方向を伸長方向として伸びる素材により形成される錐体状のネットであって、弾性体によって伸長した状態から戻るように形成され、前記頂点部分にはツマミが設けられるネットと、
前記ネットの開口部が上方に向かって開いた状態に支持する枠であって、前記ネットを固定した状態で伸長可能に形成される枠からなる容器枠とを有する生ゴミ保持容器である。
請求項２に記載の発明は、前記生ゴミ保持容器において、前記容器枠は、有底の筒状体であり、底部分が開閉可能に形成されるものである。
請求項３に記載の発明は、前記生ゴミ保持容器において、前記ネットは、前記弾性体として、開口縁から前記頂点に至る複数のゴム紐を有するものである。
請求項４に記載の発明は、請求項１又は２に記載の容器枠である。
請求項５に記載の発明は、請求項１又は３に記載のネットである。
【考案の効果】
【０００５】
請求項１に記載の考案は、ネット内に生ゴミが入った状態で、ネットに設けられたツマミを手で持って伸ばし、これを離すことで、弾性体によってネットが急激に縮んで元の状態に戻る。この動きによりネットに付着している生ゴミも、慣性によってネットの開口部方向に力がかかり、ネットから引き離すことができる。つまり、ネットを生ゴミと一緒に捨てることなく、生ゴミに触らずに生ゴミをネット内からゴミ箱へ廃棄することができ、同じネットを何度も使用することができる。
請求項２に記載の考案は、容器枠を有底の筒状体とし、底部分を開放可能とすることにより、生ゴミをネット内に溜める際には、底部分を閉じておくことで、ネット下端部が容器枠下面に支持されるので、生ゴミの重さでネットが伸びて弾性体を弱らせることがなく、
生ゴミを廃棄する際には、底部分を開くことで、ネットを伸ばすことができる。
請求項３に記載の発明は、弾性体をゴム紐とすることで、ネット自体に弾性力を必要とすることなく、簡易な構成で前記ネットを構成することができる。
請求項４に記載の発明は、請求項１又は３に記載のネットを装着することで、上記生ゴミ保持容器を形成することができる。
請求項５に記載の発明は、請求項１又は２に記載の容器枠に固定することで、上記生ゴミ保持容器を形成することができる。
【図面の簡単な説明】
【０００６】
【図１】実施形態に係る生ごみ保持容器のネットを示す斜視図である。
【図２】実施形態に係る生ゴミ保持容器の保持枠を示す斜視図である。
【図３】（ａ）〜（ｃ）は実施形態に係る生ゴミ保持容器の使用方法を順序だてて表す概略断面図である。
【図４】（ｄ）（ｅ）は図３で表す生ゴミ保持容器の使用方法の続きを表す概略図である。
【考案を実施するための形態】
【０００７】
以下、本考案の実施の形態について、図面を参照しながら説明する。
本実施形態に係る生ゴミ保持容器Ｘは、ネット１０と容器枠２０とから構成される。図１に本実施形態に係る生ゴミ保持容器Ｘを構成するネット１０の斜視図を示す。ネット１０は、ネット本体１１、頂点固定部１２、ツマミ１３、弾性紐１４、弾性リング１５とから構成される。ネット本体１１は合成樹脂繊維を網状に形成したシート体を円錐状にしたものである。頂点固定部１２は、ネット本体１１の頂点部分を封止する合成樹脂からなる盃状の部材である。ツマミ１３は頂点固定部１２のネット本体11の反対側に設けられる球状体であり、人が手で持つための部材である。弾性リング１５はゴム紐からなるリングであって、ネット本体１１の開口縁に固定されている。弾性紐１４は線状のゴム紐であって、円錐状のネット本体１１の母線に沿って複数配置され、一端を頂点固定部１２に固定され、他端を弾性リング１５に固定されている。このような構成を有するネット１０は、弾性リング１５を固定してツマミを弾性リング１５から離れる方向に引っ張ると、全体に伸び、ツマミを離すと弾性紐１４の弾性力により元の状態に縮む。
【０００８】
図２に本実施形態に係る生ゴミ保持容器Ｘを構成する容器枠２０の斜視図を示す。容器枠２０は断面が角部がアール状になった直角三角形である有底三角筒体であり、一般的な台所の流しの隅に置かれるコーナーポッドとほぼ同様の形状をしている。容器枠２０は側面を構成する略三角筒状の側面筒２１と、容器枠２０の底を形成する底板２２とから構成される。側面筒２１は合成樹脂により形成され、下端の三つの角に脚２１ａが設けられ、また、上縁外方には下方に屈曲した爪２１ｂが設けられる。爪２１ｂはネット１０の弾性リング１５を引っ掛けるためのものである。底板２２は、角部がアール状になった直角三角形状の板体であり、複数の貫通孔からなる排水孔２２ａが設けられている。底板２２の一縁は、側面筒２１の下端開口縁の一つと一体に形成され、両者の接合部分は樹脂ヒンジが形成されることにより、底板２２は側面筒２１に対して自在に回動することができる。底板２２の下面中央近傍には磁石２２ｂが固定されるとともに、側面筒２１の、底板２２を回動させたときに、磁石２２ｂが接触する位置に鉄板２１ｃが固定されている。これにより、底板２２を回動させて磁石２２ｂを鉄板２１ｃに吸着させることで、底板２２を開いた状態に固定することができる。さらに、側面筒２１の下縁部の一部に底板２２が閉じた状態で係止固定するための弾性爪２１ｄが設けられ、これにより、底板２２を開閉自在に固定することができる。また、底板２２の縁部には開く際に、指を引っ掛けるための切り欠き２２ｃが設けられている。
【０００９】
次に、以上のような構成を有する生ゴミ保持容器Ｘの使用方法について説明する。まず、使用者は、ネット１０の頂点を下にしてネット１０を容器枠２０内部に入れ、ネット１０の弾性リング１５を容器枠２０の上縁から外面側を通して、容器枠２０の爪２１ｂに弾性リング１５を引っ掛けることで、ネット１０を容器枠２０に固定する。図３（ａ）に、ネット１０を容器枠２０に固定した状態を示す概略断面図を示す。この状態で、使用場所に設置し、生ゴミＤをネット１０内に入れていく。これにより、ネット本体１１や弾性紐１４が伸びて図３（ｂ）のような状態となる。ある程度、生ゴミＤが溜まったら、容器枠２０の底板２２を開いて回動させ、磁石２２ｂを鉄板２１ｃに吸着させることで、図３（ｃ）に示すように底板２２を開いた状態に固定する。この状態で使用者は、ツマミ１３を引っ張り、ネット本体１１及び弾性紐１４を伸ばした後、図４（ｄ）に示すように、ネット１０の開口面をゴミ箱Ｂに向ける。その後、ツマミ１３を離すと、引き伸ばされた弾性紐１４は勢いよく縮み、反動で図４（ｅ）に示すように、ネット本体１１が裏返った状態となる。これにより、ネット本体１１内の生ゴミＤも、ネット本体１１に押されて移動するが、一定範囲までしか移動できないネット本体１１に対して、移動に制限のない生ゴミＤは慣性力により、そのまま、ネット本体１１を飛び出して図４（ｅ）に示すように、ゴミ箱Ｂ内に入ることとなる。これにより生ゴミＤがネット本体１１に付着していても、ネット本体１１から離脱させることができ、たとえ、１回で脱離させることができなくても、数回、上記の操作を行うことで、生ゴミＤをほぼネット本体１１から脱離させることができる。その後、再び、図３（ａ）のような状態となるので、所定位置に設置し生ゴミを溜めることができる。ネット１０は、以上のように、数回〜数十回使用し、ネット本体１１が劣化したところで、容器枠２０から取り外し、新たなネット１０に交換するようにする。このようにすれば、ネット１０の交換頻度は極めて低くなり、経済的に使用することが可能となる。
【００１０】
なお、上記実施形態では、コーナーポッドとして生ゴミ保持容器Ｘを例示したが、台所用流し台の排水溝内に設けられる流し台バスケットに利用することができる。この場合は、容器枠の形状を流し台バスケットの形状とすればよい。
また、上記実施形態では、ネット本体１１に弾性体として弾性紐１４を別途設けているが、ネット本体１１を弾性のある繊維で形成したり、穴の開いたゴム膜によって形成することで、ネット本体１１と弾性体とを一体に形成することもできる。
さらに、上記実施形態では、底板２２を設けているが、底板２２を設けることなく、容器枠を底のない筒体とすることも可能である。
【符号の説明】
【００１１】
X    生ゴミ保持容器
１０  ネット
１１  ネット本体
１３  ツマミ
１４  弾性紐
１５  弾性リング
２０  容器枠
２１  側面筒
２２  底板
【図１】
0003155220.tif 000003
【図２】
0003155220.tif 000004
【図３】
0003155220.tif 000005
【図４】
0003155220.tif 000006
【手続補正書】
【提出日】平成21年8月12日(2009.8.12)
【手続補正１】
【補正対象書類名】実用新案登録請求の範囲
【補正対象項目名】全文
【補正方法】変更
【補正の内容】
【実用新案登録請求の範囲】
【請求項１】
頂点と開口部とを結ぶ方向を伸長方向として伸びる素材により形成される錐体状のネットであって、弾性体によって伸長した状態から戻るように形成され、前記頂点部分にはツマミが設けられるネットと、
前記ネットの開口部が上方に向かって開いた状態に支持し、前記ネットを固定した状態で前記ネットを伸長できるように形成される枠と
からなる容器枠と
を有する生ゴミ保持容器。
【請求項２】
前記容器枠は、有底の筒状体であり、底部分が開閉可能に形成されるものである請求項１に記載の生ゴミ保持容器。
【請求項３】
前記ネットは、前記弾性体として開口縁から前記頂点に至る複数のゴム紐を有するものである請求項１又は２に記載の生ゴミ保持容器。
【請求項４】
頂点と開口部とを結ぶ方向を伸長方向として伸びる素材により形成される錐体状のネットであり、弾性体によって伸長した状態から戻るように形成され、前記頂点部分にはツマミが設けられるネットを保持する容器枠であって、
前記ネットの開口部が上方に向かって開いた状態に支持する有底の筒状体であり、底部分を開閉可能とすることで、前記ネットを固定した状態で前記ネットを伸長できるように形成された容器枠。
【請求項５】
生ゴミ保持容器に用いられるネットであって、
頂点と開口部とを結ぶ方向を伸長方向として伸びる素材により形成される錐体状のネットであって、弾性体によって伸長した状態から戻るように形成され、前記頂点部分にはツマミが設けられるネット。